(57)【要約】【課題】受付時において妊娠の有無について登録漏れがあった場合であっても、その後の各健診項目において受診者が妊娠しているか否かを登録することができ、当該登録された情報がその後の健診工程においても反映される仕組みを提供すること。【解決手段】  受診者が妊娠しているか否かを示す情報が記録された携帯記録媒体と通信可能な健診情報処理装置であって、受診者が計測を受けるか否かの選択を受け付け、計測を受けない旨の選択を受け付けた場合、計測を受けない理由を受け付け、受け付けた欠測理由が妊娠している旨であった場合に、当該受診者が妊娠している旨を前記携帯記録媒体に記録することを特徴とする。【選択図】図６
2013050901.tif 000002
【特許請求の範囲】
【請求項１】
受診者が妊娠しているか否かを示す情報が記録された携帯記録媒体と通信可能な健診情報処理装置であって、
前記受診者が前記健診情報処理装置にかかる健診項目の計測を受けるか否かの選択を受け付ける受付手段と、
前記受付手段により計測を受けない旨の選択を受け付けた場合、計測を受けない理由を受け付ける欠測理由受付手段と、
前記欠測理由受付手段により受け付けた欠測理由が妊娠している旨であった場合に、当該受診者が妊娠している旨を前記携帯記録媒体に記録する妊娠情報記録手段と、
を備えることを特徴とする健診情報処理装置。
【請求項２】
前記携帯記録媒体から受診者が妊娠しているか否かを示す情報を取得する取得手段と、
前記取得手段により取得した情報に基づき、当該受診者が妊娠しているか否かを判断する妊娠有無判断手段と、
健診項目ごとに妊娠時に受診が可能か否かを示す情報を記憶する受診可否情報記憶手段と、
前記受診可否情報記憶手段に記憶された情報に基づき、前記健診情報処理装置にかかる健診項目が妊娠時に受診可能な健診項目であるかを判断する受診可否判断手段と、
前記妊娠有無判断手段により妊娠していると判断され、かつ前記受診可否判断手段により妊娠時には受診が不可であると判断された場合、当該受診者は当該健診項目を受診できない旨を通知する受診不可通知手段と、
をさらに備えることを特徴とする請求項１に記載の健診情報処理装置。
【請求項３】
計測結果を表示する表示手段をさらに備え、
前記妊娠有無判断手段により妊娠していると判断された場合、前記表示手段は、妊娠時における計測結果であることが識別可能に計測結果を表示することを特徴とする請求項２に記載の健診情報処理装置。
【請求項４】
前記携帯記録媒体は、さらに、過去の健診結果および当該過去の健診時に妊娠していたか否かを示す情報を記憶し、
前記取得手段は、さらに、前記過去の健診結果および当該過去の健診時に妊娠していたか否かを示す情報を取得することを特徴とし、
前記妊娠有無判断手段は、さらに、前記取得手段により取得された過去の健診時に妊娠していたか否かを示す情報に基づき、当該過去の健診時に妊娠していたか否かを判断することを特徴とし、
前記表示手段は、さらに、前記妊娠有無判断手段により過去の健診時に妊娠していたと判断された場合、前記取得手段により取得した過去の健診結果を妊娠時における結果であることを識別可能に表示することを特徴とする請求項３に記載の健診情報処理装置。
【請求項５】
前記妊娠情報記録手段は、さらに、
前記受診可否判断手段により妊娠時に受診が不可であると判断され、かつ前記妊娠有無判断手段により妊娠していると判断された場合、当該受診者が妊娠している旨を前記携帯記録媒体に記録することを特徴とする請求項２乃至４のいずれか１項に記載の健診情報処理装置。
【請求項６】
受診者の性別を判断する性別判断手段をさらに備え、
前記妊娠情報記録手段は、さらに、
前記性別判断手段により受診者の性別が男性であると判断され、かつ前記受付手段により計測を行わない旨を受け付けた場合、欠測理由として本人による受診拒否である旨を前記記録媒体に記録することを特徴とする請求項１乃至５のいずれか１項に記載の健診情報処理装置。
【請求項７】
受診者が妊娠しているか否かを示す情報が記録された携帯記録媒体と通信可能な健診情報処理装置における健診情報処理方法であって、
前記健診情報処理装置の受付手段が、前記受診者が前記健診情報処理装置にかかる健診項目の計測を受けるか否かの選択を受け付ける受付工程と、
前記健診情報処理装置の欠測理由受付手段が、前記受付工程により計測を受けない旨の選択を受け付けた場合、計測を受けない理由を受け付ける欠測理由受付工程と、
前記健診情報処理装置の妊娠情報記録手段が、前記欠測理由受付工程により受け付けた欠測理由が妊娠している旨であった場合に、当該受診者が妊娠している旨を前記携帯記録媒体に記録する妊娠情報記録工程と、
を備えることを特徴とする健診情報処理方法。
【請求項８】
受診者が妊娠しているか否かを示す情報が記録された携帯記録媒体と通信可能な健診情報処理装置において実行されるプログラムであって、
前記健診情報処理装置を、
前記受診者が前記健診情報処理装置にかかる健診項目の計測を受けるか否かの選択を受け付ける受付手段と、
前記受付手段により計測を受けない旨の選択を受け付けた場合、計測を受けない理由を受け付ける欠測理由受付手段と、
前記欠測理由受付手段により受け付けた欠測理由が妊娠している旨であった場合に、当該受診者が妊娠している旨を前記携帯記録媒体に記録する妊娠情報記録手段として機能させることを特徴とするプログラム。
【請求項９】
請求項８に記載のプログラムを格納することを特徴とするコンピュータで読取可能な記憶媒体。
【発明の詳細な説明】
【技術分野】
【０００１】
本発明は、健診情報処理システム、健診情報処理装置、健診情報処理方法、プログラム、及び記憶媒体に関し、特に、各種健診機器で測定された健診情報を端末経由で各受診者が形態する記録媒体に記録して健診情報の回収を行う健診情報処理システムに関する。
【背景技術】
【０００２】
現在、学校や会社等に医師や看護師等（以下、「測定者」という）が出張して健康診断を行う、いわゆる出張健診が一般的に行われている。
【０００３】
例えば、従来の出張健診では、測定者が行った健診結果（健診情報）を健康診断票（紙）に記載していたが、近年、情報収集の効率化のため、健康診断票（紙）の代わりにＩＣカード等の携帯可能な記録装置を用いている（例えば特許文献１参照）。
【特許文献１】特開平１１−２１３０６１号公報
【発明の開示】
【発明が解決しようとする課題】
【０００４】
このような健診システムにおいては、健診を開始する前の受付時において、ＩＣカード等の記録装置に対して、受診者が受診すべき健診項目や健診当日の体調や妊娠の有無など受診者に関する情報が登録される。
【０００５】
しかしながら、受付時に行われる登録処理において、妊娠の有無などの登録漏れがあった場合は、その後健診を進めるにあたり不都合が生じる。例えばＸ線を用いた検査などは、妊娠している場合には受診できないが、登録漏れがあった場合は受診予定として登録されてしまうという不都合が生じる。
【０００６】
そこで本発明は、受付時において妊娠の有無について登録漏れがあった場合であっても、その後の各健診項目において受診者が妊娠しているか否かを登録することができ、当該登録された情報がその後の健診工程においても反映される仕組みを提供することを目的とする。
【課題を解決するための手段】
【０００７】
本発明は、受診者が妊娠しているか否かを示す情報が記録された携帯記録媒体と通信可能な健診情報処理装置であって、前記受診者が前記健診情報処理装置にかかる健診項目の計測を受けるか否かの選択を受け付ける受付手段と、前記受付手段により計測を受けない旨の選択を受け付けた場合、計測を受けない理由を受け付ける欠測理由受付手段と、前記欠測理由受付手段により受け付けた欠測理由が妊娠している旨であった場合に、当該受診者が妊娠している旨を前記携帯記録媒体に記録する妊娠情報記録手段と、を備えることを特徴とする。
【０００８】
また、本発明は、受診者が妊娠しているか否かを示す情報が記録された携帯記録媒体と通信可能な健診情報処理装置における健診情報処理方法であって、前記健診情報処理装置の受付手段が、前記受診者が前記健診情報処理装置にかかる健診項目の計測を受けるか否かの選択を受け付ける受付工程と、前記健診情報処理装置の欠測理由受付手段が、前記受付工程により計測を受けない旨の選択を受け付けた場合、計測を受けない理由を受け付ける欠測理由受付工程と、前記健診情報処理装置の妊娠情報記録手段が、前記欠測理由受付工程により受け付けた欠測理由が妊娠している旨であった場合に、当該受診者が妊娠している旨を前記携帯記録媒体に記録する妊娠情報記録工程と、を備えることを特徴とする。
【０００９】
また、本発明は、受診者が妊娠しているか否かを示す情報が記録された携帯記録媒体と通信可能な健診情報処理装置において実行されるプログラムであって、前記健診情報処理装置を、前記受診者が前記健診情報処理装置にかかる健診項目の計測を受けるか否かの選択を受け付ける受付手段と、前記受付手段により計測を受けない旨の選択を受け付けた場合、計測を受けない理由を受け付ける欠測理由受付手段と、前記欠測理由受付手段により受け付けた欠測理由が妊娠している旨であった場合に、当該受診者が妊娠している旨を前記携帯記録媒体に記録する妊娠情報記録手段として機能させることを特徴とする。
【発明の効果】
【００１０】
本発明によれば、各健診工程において受診者の属性を登録することが出来る仕組みを提供することが可能となる。
【図面の簡単な説明】
【００１１】
【図１】健診情報システムのシステム構成を概略的に示すブロック図である
【図２】図１における各種端末のハードウェア構成を概略的に示すブロック図である。
【図３】受付端末１００が実行する受付処理の手順を示すフローチャートである。
【図４】受付端末１００が実行する妊娠の有無設定処理の手順を示すフローチャートである。
【図５】健診工程端末が実行する制御処理の手順を示すフローチャートである
【図６】健診工程端末が実行する妊娠時に受診可能な健診項目にかかる健診情報処理の手順を示すフローチャートである
【図７】健診工程端末が実行する妊娠時に受診不可の健診項目にかかる健診情報処理の手順を示すフローチャートである
【図８】図６のステップＳ６０１、図７のステップＳ７０１における健診状況表示処理の詳細手順を示すフローチャートである。
【図９】管理端末１５０が実行する回収処理の手順を示すフローチャートである。
【図１０】図９のステップＳ９１６における料金計算処理の詳細手順を示すフローチャートである。
【図１１】受付端末が外部から読み込む受診者一覧情報の一例を示す図である。
【図１２】記録媒体に記録される受診者情報の一例を示す図である。
【図１３】健診基本料金と健診項目ごとの追加料金を示す料金テーブルの一例を示す図である。
【図１４】図１における各健診工程端末に記録される関連付情報ファイルの一例を説明するためのテーブルである。
【図１５】図１における各健診工程端末に記録される関連付情報ファイルの一例を説明するためのテーブルである。
【図１６】図５のステップＳ５０１において健診工程端末に表示される初期メニュー画面の一例を示す図である。
【図１７】管理端末に表示される受診済みか否かの判定結果を示す画面の一例を示す図である
【図１８】各健診項目ごとに適用可能な欠測理由が登録されたテーブルの一例を示す図である
【図１９】受診者が妊娠しているか否かを示す妊娠フラグが登録されたテーブルの一例を示す図である
【図２０】健診結果が登録されるテーブルの一例を示す図である
【図２１】妊娠時に受診が可能か否かを示す情報が登録されたテーブルの一例を示す図である
【図２２】図１における受付端末１００に表示される受付入力画面の一例を示す図である
【図２３】図６のステップＳ６０９において表示される欠測理由の入力を受け付ける画面の一例を示す図である
【図２４】図６のステップＳ６０３において表示される画面の一例を示す図である
【図２５】図７のステップＳ７０３において表示される画面の一例を示す図である
【図２６】図１における健診工程端末が備える機能の構成を概略的に示すブロック図である。
【発明を実施するための形態】
【００１２】
以下、本発明の実施の形態について図面を参照しながら説明する。
【００１３】
まず、本発明の実施の形態に係る健診情報処理システムについて説明する。
【００１４】
図１は、本実施の形態に係る健診情報処理システムのシステム構成を概略的に示すブロック図である。
【００１５】
図１において、１００は受付端末である。受付端末１００は、ハンディターミナルやノート型パーソナルコンピュータ等の情報処理装置であり、本体にＲＦ−ＩＤのリーダ／ライタ２０７（図２）が着脱可能に接続されている。なお、上記ＲＦ−ＩＤのリーダ／ライタ２０７（図２）は本体に内蔵されていても良い。
【００１６】
また、受付端末１００には、不図示のバーコードリーダが接続されている。そして、受付端末１００のメモリ２０２（図２）には、受診者の受診者ＩＤ、健診番号、氏名、性別、年齢、生年月日、過去の受診結果などの受診者情報を記憶する受診者一覧情報（図１１）と、上記バーコードリーダが読み取った画像ファイル中のバーコードを識別して文字データに変換するプログラムと、後述する受付処理プログラム（図３）とが記憶されている。
【００１７】
管理端末１５０は、受付端末１００と同様に、ハンディターミナルやノート型パーソナルコンピュータ等の情報処理装置であり、本体にＲＦ−ＩＤのリーダ／ライタ２０７（図２）が着脱可能に接続されている。また、管理端末のメモリ２０２（図２）には、健診結果ファイル（不図示）と、後述する回収処理プログラム（図９）とが記憶されている。
【００１８】
健診工程端末Ａ（１１１）〜Ｎ（１２９）（健診情報処理装置）のメモリ２０２（図２）には、図５の制御プログラムと、図６、図７に示す健診工程の処理プログラムと、各プログラムで使用する画面情報（ディスプレイ２０５に図２３等の画面を表示するためのデータであり、各プログラムの中に含めても良い）と、図１４乃至図１５に示すメニューと各処理プログラムとを関連付けるための関連付情報ファイルと、各健診機器の機器設定情報（健診工程端末Ａ（１１１）〜Ｎ（１２９）の設定情報）と、各健診機器とのデータのやり取りに用いられる通信プログラム（Ｂｌｕｅｔｏｏｔｈ（登録商標）、ＩｒＤＡ、ＴＳＰ／ＩＰ等の各通信手順やプロトコルに対応した通信プログラム）とが記憶されている。
【００１９】
なお、上記各通信プログラムの少なくとも一部をオペレーションシステムに含めてもよい。
【００２０】
各健診工程端末には、同一のプログラム（制御プログラム、健診工程の処理プログラム、通信プログラム及びこれらプログラム用の画面情報や関連付情報ファイル）と全健診機器の機器設定情報とが記憶されているので、メニューで特定の健診工程（例えば血液検査）を選択するだけで任意の健診工程端末を任意の健診工程において使用することができる。
【００２１】
健診機器Ａ（１１０）〜Ｎ（１２８）は、健診に使用するＸ線撮影装置や血圧計、心電図測定機等の各種検査機器であり、健診工程端末Ａ（１１１）〜Ｎ（１２９）とのデータのやり取りを可能にする外部インタフェース（例えばＢｌｕｅｔｏｏｔｈやＩｒＤＡ等）を備えている。
【００２２】
また、健診機器Ａ（１１０）〜Ｎ（１２８）は、健診工程端末Ａ（１１１）〜Ｎ（１２９）と有線のケーブル（ＵＳＢやＩＥＥＥ１３９４、パラレル転送用ケーブル等）で接続しても良く、ピアツーピアやＴＣＰ／ＩＰ、ＦＴＰ等で通信しても良い。
【００２３】
記録媒体１６０は、各受診者が持ち運んで受診者情報（例えば受診者ＩＤ、健診番号、氏名、性別、年齢、生年月日）や各健診工程の検査データや通過データを記録するための媒体であり、例えばＲＦ−ＩＤやＩＣカード、各種メモリカードを含むが、これらに限られずおよそデータの記憶／更新が可能で持ち運びが可能な程度に小型な記録媒体（例えばＵＳＢメモリ等）であれば良い。
【００２４】
また、以下の説明では、記録媒体１６０内にコントローラ（図示しない）を有するものとしているが、記録媒体１６０内にコントローラを有さずに、各リーダ／ライタ２０７から指定されたアドレスに指定されたデータを記憶し、あるいは更新できる構成を有してもよい。
【００２５】
なお、図１について、健診機器Ａ（１１０）と健診工程端末Ａ（１１１）のように２つが実線で結ばれている場合は、両者がケーブル（有線）で接続されていることを意味し、健診機器Ｂ（１１２）と健診工程端末Ｂ（１１３）のように２つが破線で結ばれている場合には両者が無線や赤外線で接続されていることを意味し、健診機器Ｃ（１１４）と健診工程端末Ｃ（１１５）のように２つが結ばれていない場合には、両者が接続されておらず、健診機器Ｃの測定結果を健診工程端末Ｃ１１５に手入力する場合を示している。
【００２６】
図２は、図１における各種端末（受付端末、各健診工程端末、管理端末）のハードウェア構成を概略的に示すブロック図である。
【００２７】
図２において、ＣＰＵ２０１、メモリ２０２、ＲＯＭ２０３、通信アダプタ２０４、ディスプレイ２０５、キーボード２０６、リーダ／ライタ２０７はそれぞれシステムバス２００を介して互いに接続されている。
【００２８】
システムバス２００は、例えば、ＰＣＩバス、ＡＧＰバス、メモリバス等を意味する。また、図２では、各バス間の接続用チップやキーボードインタフェースやディスプレイインタフェース等の各種インタフェースは省略されている。
【００２９】
ＣＰＵ２０１は、四則演算や比較演算等の各種の演算や、ハードウェアやソフトウェアの制御を行う。メモリ２０２は、オペレーションシステムや以下に示す各端末で実行される処理を実行するためのアプリケーションプログラム（画面表示のための画像情報を含む）や、前述した各種データやファイルを記憶しており、本実施の形態ではメモリ２０２は不揮発性のメモリを使用している。
【００３０】
なお、各種端末に不図示のハードディスクや、大容量フラッシュメモリ等により構成されるいわゆるシリコンディスクを更に備え、このハードディスクやシリコンディスクにオペレーションシステムのプログラムやアプリケーションプログラム等を記憶し、実行時にはこのハードディスクやシリコンディスクから各プログラムをメモリ２０２に読み出して実行する形態も可能である。
【００３１】
ＲＯＭ２０３には、オペレーションシステムと協働してハードディスク等への入出力をつかさどるいわゆるＢＩＯＳ等が記憶される。
【００３２】
通信アダプタ２０４は、ＣＰＵ２０１によって制御されるオペレーションシステムの通信プログラムと協働して不図示の通信回線を介した外部との通信を行う。
【００３３】
ディスプレイ２０５は、画面を表示し、タッチパネルを兼ねており、キーボード２０６は各種指示や数値を入力するために用いられる。
【００３４】
リーダ／ライタ２０７は、記録媒体１６０からデータを読み込んだり、逆に記録媒体１６０にデータを書き込むためのものである。なお、読み込み／書き込みの方法は、記録媒体１６０をリーダ／ライタ２０７に挿入／接触させる接触式であるか、データの読み書きのために記録媒体１６０とリーダ／ライタ２０７とが接触する必要が無い非接触式であるかは問わない。また、リーダ／ライタ２０７は記録媒体１６０の種類に対応してデータの記憶／更新が出来るものを使用する。
【００３５】
次に図１における健診工程端末（健診情報処理装置）が備える機能について説明する。
【００３６】
図２６は、図１における健診工程端末（健診情報処理装置）が備える機能の構成を概略的に示すブロック図である。
【００３７】
図２６において、健診工程端末（健診情報処理装置）は、測定者や受診者などのユーザから、図５の制御処理により設定された健診項目を受診するか否かの選択を受け付ける受付部２６０１と、受診しない旨が選択された場合にその理由を受け付ける欠測理由受付部２６０２と、受診者が妊娠しているか否かを記録媒体に記録する妊娠情報記録部２６０３と、記録媒体から受診者が妊娠しているか否かを示す情報等を取得する取得部２６１０と、取得部により取得された情報から当該受診者が妊娠しているか否かを判断する妊娠有無判断部２６０４と、健診項目ごとに妊娠時に受診が可能か否かを示す情報を記憶する受診可否情報記憶部２６０５と、受診可否情報に基づき図５の制御処理により設定された健診項目が妊娠時に受診可能な項目であるか否かを判断する受診可否判断部２６０６と、妊娠しているため受診が出来ない場合にその旨を通知する受診不可通知部２６０７と、計測結果などをディスプレイ等に表示する表示部２６０８と、受診者の性別を判断する性別判断部２６０９とを備える。
【００３８】
次に図１における受付端末１００が実行する受付処理について説明する。
【００３９】
図３は、図１における受付端末１００が実行する受付処理の手順を示すフローチャートである。なお、本処理は、受付端末１００のＣＰＵ２０１がメモリ２０２に記憶されるプログラムを読み出して実行することにより実現される（すなわち、受付端末１００のＣＰＵ２０１の制御の元で実行される）処理に対応する。
【００４０】
図３において、まず、受付端末１００のＣＰＵ２０１は、受付端末１００のディスプレイ２０５に図２２に示すような受付入力画面を表示し（ステップＳ３０１）、表示された受付入力画面の受診者一覧読込ボタン（２２０１）が押下されることにより受診者一覧（図１１）の読み込みが指示されると（ステップＳ３０２）、外部から受信した、あるいは受付端末１００が備えるＵＳＢ端子に挿入されたＵＳＢメモリから当日の受診者の受診者ＩＤ、健診番号、氏名、性別、年齢、生年月日等の受診者情報と、受診者ＩＤ毎に受診しなければならない健診項目が設定された健診工程を示す情報（受診者一覧情報）とを読み込んで、メモリ２０２に記憶する（ステップＳ３０３）。
【００４１】
図１１は、受診者一覧情報の一例であり、全ての受診者ＩＤや氏名、コースＩＤ、受診者ＩＤ毎の受診しなければならない健診項目（例えば、身長・体重、血圧、腹囲、視力等）、過去の健診結果等が設定されている。
【００４２】
なお、図１１では、受診しなければならない健診項目は「○」で、受診予定のない項目は「×」で表している。
【００４３】
また、図１１に示す受診者一覧情報には、例えば、「身長・体重」、「血圧」、「腹囲」、「視力」の順序で受診者に受診させるというような受診順序情報が設定されていても良い。
【００４４】
図３に戻り、次いで、図２２に示す受付入力画面の受診票スキャンボタン（２２０２）が押下されることにより受診票スキャンが指示されると（ステップＳ３０４）、受付端末１００のＣＰＵ２０１は、受付端末１００に接続されたスキャナを読込可能な状態に制御する。
【００４５】
そして、各受診者が予め記入して持参した受診票（各受診者が自覚症状等を記入する一種の問診票）がスキャナにセットされ、該受診票の読み込み指示がなされると、受付端末１００のＣＰＵ２０１は、該受診票をスキャンして、受付端末１００のバーコード認識プログラムにより該受診票に予め印刷された一意のバーコードを認識してテキストデータ（受診者ＩＤ）に変換し、メモリ２０２に記憶する（ステップＳ３０５）。なお、上記スキャナはバーコードリーダであってもよい。
【００４６】
次いで、受付端末１００のＣＰＵ２０１は、上記受診票をスキャンすることで得られた受診者ＩＤとステップＳ３０３でメモリ２０２に記憶した受診者一覧情報に含まれる受診者ＩＤとを照合して、受診者ＩＤが受診者一覧情報（図１１）中に存在するか否かを判別する（ステップＳ３０６）。
【００４７】
ステップＳ３０６の判別の結果、受診者ＩＤが受診者一覧情報中に存在しないときは（ステップＳ３０６：ＮＯ）、エラーメッセージをディスプレイ２０５に表示して（ステップＳ３１０）、ステップＳ３０４の処理へ戻り、再度、受診票を読み込む処理を実行する。
【００４８】
ステップＳ３０６の判別の結果、受診者ＩＤが受診者一覧情報中に存在するときは（ステップＳ３０６：ＹＥＳ）、受付端末１００のＣＰＵ２０１は、該当する受診者ＩＤに対応する受診者情報（図１２）を読み出し、メモリ２０２に記憶する（ステップＳ３０７）。
【００４９】
例えば、上記受診票をスキャンすることで得られた受診者ＩＤが「１」であった場合、図１１に示す受診者一覧情報の受診者ＩＤを検索すると、受診者ＩＤが「１」のレコードがヒットする。そして、当該レコードから受診者ＩＤが「１」、氏名が「観音加奈子」、受診項目が、「身長・体重」、「腹囲」、「胸部Ｘ線」、「胃部Ｘ線」、「血圧」である旨のデータ（図１１）（受診者情報）を取得する。
【００５０】
そして、当該受診者に関する妊娠の有無についての設定処理を実行する（ステップＳ３０８）。ステップＳ３０８に示す処理の詳細については、図４を用いて後述する。
【００５１】
そして、当該受診者情報（図１２）と妊娠有無情報（図１９）とを記録媒体１６０に送信して（ステップＳ３０９）、本処理を終了する。
【００５２】
なお、記録媒体１６０のコントローラは、ステップＳ３０９で受診票に対応したユーザ（受診者）の受診者情報と妊娠有無情報とを受け付け端末１００から受信すると、該受信した受診者情報と妊娠有無情報とを記録媒体１６０の不図示の記憶部に書き込む（記憶する）。このようにして、受診者の受診者情報（図１２）と妊娠有無情報とを記録媒体に記憶することが出来る。
【００５３】
次に、図４を用いて、図３のステップＳ３０８に示す妊娠の有無設定処理について説明する。
【００５４】
図４に示す処理は、受付端末１００のＣＰＵ２０１が所定の制御プログラムを読み出して実行する処理である。
【００５５】
ステップＳ４０１では、受付端末１００のＣＰＵ２０１は、受診者の性別を判断する。ここで、受診者の性別については、ステップＳ３０５で読み込んだ受診票に記載された情報から判断するように構成しても良い。また、受診票とは別に受診者から性別に関する情報を受け付けても良い。また、受診者情報として登録してある情報から判断しても良い。
【００５６】
受診者が男性であると判断された場合（ステップＳ４０１：男）は、処理をステップＳ４０４に移行する。
【００５７】
受診者が女性であると判断された場合（ステップＳ４０１：女）は、処理をステップＳ４０２に移行する。
【００５８】
ステップＳ４０２では、受付端末１００のＣＰＵ２０１は、受診者が妊娠をしているか否かを判断する。ここで妊娠の有無についての情報は、ステップＳ３０５で読み込んだ受診票に記載された情報から判断しても良い。また、受診者から別途情報を受け付けるように構成しても良い。また、受診者情報として登録してある情報から判断しても良い。
【００５９】
妊娠していると判断された場合（ステップＳ４０２：妊娠している）は、処理をステップＳ４０３に移行する。
【００６０】
妊娠していないと判断された場合（ステップＳ４０２：妊娠していない）は、処理をステップＳ４０４に移行する。
【００６１】
ステップＳ４０３では、受付端末１００のＣＰＵ２０１は、妊娠フラグをＯＮにする（妊娠している旨の情報を登録する）。
【００６２】
ステップＳ４０４では、受付端末１００のＣＰＵ２０１は、妊娠フラグをＯＦＦにする（妊娠していない旨の情報を登録する）。
【００６３】
本フローチャートの処理により図１９に示す妊娠有無情報が受付端末１００の記憶領域に登録される。
【００６４】
図５は、図１における各健診工程端末が実行する制御処理（健診機器と健診工程機器とを対応付ける処理）の手順を示すフローチャートである。なお、本処理は、各健診工程端末（健診工程端末Ａ（１１１）〜Ｎ（１２９））のＣＰＵ２０１がメモリ２０２に記憶されるプログラムを読み出して実行することにより実現される（すなわち、健診工程端末のＣＰＵ２０１の制御のもとで実行される）処理に対応する。また、以下では、健診工程端末Ａ１１１が実行する制御処理について説明するが、他の健診工程端末においても同様の処理が実行される。
【００６５】
図５において、まず、健診工程端末Ａ１１１の電源がオンにされて健診工程端末Ａ１１１が起動されると、健診工程端末Ａ１１１のＣＰＵ２０１は、図１６に示すような健診システムメニューを初期メニュー画面としてディスプレイ２０５に表示する（ステップＳ５０１）。具体的には、ＣＰＵ２０１は、図１４に示すような関連付け情報ファイルをメモリ２０２から読み出して、該読み出した関連付け情報ファイル内のメニュー情報（メニューＮｏ、メニュー名等）に基づいて図１６に示す健診システムメニューを表示するように制御する。
【００６６】
図１４は、関連付け情報ファイルの一例であり、図１４に示すように関連付情報ファイルは、メニューＮｏ、メニュー名、メニューを選択した場合に実行する処理プログラム名、健診機器の設定情報を記録した機器設定情報ファイル名等の情報を含む。
【００６７】
図１６は、健診工程端末の初期メニュー画面の一例である。図１６の初期メニュー画面における各種設定ボタンが押下されると、サブメニュー（不図示）が表示される。そして、表示されたサブメニューにて入力や編集が行われる事で、ＢｌｕｅｔｏｏｔｈやＩｒＤＡ等の各種通信手順の設定や新たな健診機器の設定ファイルの読み込み等を実行することができ、これらの各設定データはメモリ２０２に記憶される。
【００６８】
図５に戻り、各健診工程のプログラムを起動するためのタッチボタンである図１６に示す健診システムメニューの「１．視力検査」〜「１１．癌簡易検査」のいずれかのボタン（例えば「１０、身長・体重」ボタン）が押下されて、選択ボタンのボタンが押下されることによりメニューが選択されると（ステップＳ５０２）、選択されたメニューに対応するプログラム名「ｐｒｏｈｉｇｗｅｉ」が実行される（図１４）。
【００６９】
次いで、健診工程端末Ａ１１１のＣＰＵ２０１は、メモリ２０２に記憶されている関連付け情報ファイルに図１５に示すように同一選択されたメニューに対して複数のメニューＮｏ（１−１と１−２）が存在するか否かを判別する（ステップＳ５０３）。図１５は、関連付け情報ファイルの他の例である。
【００７０】
ステップＳ５０３の判別の結果、複数のメニューＮｏが存在するとき（ステップＳ５０３：ＹＥＳ）、つまり例えばメニューＮｏに枝番が付いている場合は、この複数の機器情報ファイルに対応する機器情報ファイル名から機器名称を読み出して不図示の画面に表示し（ステップＳ５０４）、複数のうちの一つがタッチにより選択されると（ステップＳ５０５）、処理をステップＳ５０６に進める。
【００７１】
ステップＳ５０３の判別の結果、複数のメニューＮｏが存在しないときは（ステップＳ５０３：ＮＯ）、そのまま処理をステップＳ５０６に進める。
【００７２】
次いで、ステップＳ５０６では、選択されたメニューＮｏ（及び機器）に基づいて、メモリ２０２に記憶されている図１４又は図１５に示す関連付け情報ファイルの選択されたメニューＮｏに該当する機器設定情報ファイル名をメモリ２０２のワークエリアに読み込む。例えば、関連付け情報ファイルが図１４に示す内容であり、「１０．身長・体重」が選択された場合は、健診工程端末Ａ１１１のＣＰＵ２０１は、選択に応じて機器設定情報ファイル「ｆａｓｈｉｇｗｅｉ」及び対応する処理プログラム名「ｐｒｏｈｉｇｗｅｉ」を読み込む。
【００７３】
次いで、ステップＳ５０７では、ステップＳ５０２で選択されたメニューに対応する欠測理由を取得する。欠測理由については、図１８に示す。例えば、「身長・体重」であれば、本人拒否を理由とする欠測および妊娠を理由とする欠測のいずれかが選択出来ることを示す。また、「血圧」であれば、欠測理由としては本人拒否を理由とする欠測のみであり、妊娠を理由とする欠測は設定できないことを示す。
【００７４】
ステップＳ５０８では、妊娠時に受診が可能か否かを示す情報（図２１）を取得する。例えば「身長・体重」であれば妊娠していても受診が可能な項目であることを示す。また「胸部Ｘ線」については、妊娠している場合は受診不可の項目であることを示す。
【００７５】
次いで、健診工程端末Ａ１１１のＣＰＵ２０１は、ステップＳ５０６で読み込んだプログラム名のプログラムを実行し（ステップＳ５０９）、処理プログラム画面（測定結果を表示する画面）をディスプレイ２０５に表示して（ステップＳ５１０）、本処理を終了する。
【００７６】
図５の制御処理によれば、健診工程端末において操作者が選択したメニューに対応する処理プログラムが実行されて、所望の健診工程における処理を実行できる。すなわち、どの健診項目の測定値を受け付けるのかを設定することができる。
【００７７】
次に、本実施の形態に係る健診情報処理システムが実行する健診情報処理について説明する。
【００７８】
図６は、本実施の形態に係る健診工程端末が実行する健診情報処理の手順を示すフローチャートである。なお、図６のステップＳ６００乃至ステップＳ６１８は、各健診工程端末のＣＰＵ２０１がメモリ２０２に記憶されるプログラムを読み出して実行することにより実現される（即ち、健診工程端末のＣＰＵ２０１の制御のもとで実行される）処理に対応する。
【００７９】
以下、健診工程端末Ａ１１１、健診機器Ａ１１０で実行されるものとして説明する。また、以下では図１６に示す健診システムメニュー画面で、妊娠時においても受診が可能である項目（例えば「１．身長・体重」）のボタンが押下された場合の処理について説明する。
【００８０】
図６において、まず、健診工程端末Ａ１１１のＣＰＵ２０１は、ディスプレイ２０５（タッチパネルを兼ねる）やリーダ／ライタ２０７への操作を判定し、健診工程端末Ａ１１１のリーダ／ライタ２０７にカード（記録媒体１６０）がタッチされると（ステップＳ６００）、健診工程端末Ａ１１１のＣＰＵ２０１は、リーダ／ライタ２０７を介して記録媒体１６０に対して当該記録媒体１６０に記録されている妊娠有無情報（図１９）を取得する（取得手段）。
【００８１】
また、健診工程端末Ａ１１１は、リーダ／ライタ２０７を介して、当該記録媒体１６０に記録されている受診者情報（図１２）、および過去の健診結果に関する情報を取得する。
【００８２】
ステップＳ６０１では、健診工程端末Ａ１１１は、健診状況表示処理を実行する。なお、健診状況表示処理の詳細については、図８に示すフローチャートを用いて説明する。
【００８３】
ステップＳ６０２では、健診工程端末Ａ１１１は、ステップＳ６００で記録媒体１６０から取得した妊娠有無情報をもとに、受診者が妊娠しているか否かを判断する（妊娠有無判断手段）。
【００８４】
妊娠していると判断された場合（ステップＳ６０２：妊娠している）は、処理をステップＳ６０３に移行する。
【００８５】
妊娠していないと判断された場合（ステップＳ６０２：妊娠していない）は、処理をステップＳ６０４に移行する。
【００８６】
ステップＳ６０３では、健診工程端末Ａ１１１は、今回の計測された体重を表示するエリアに色付けをする（表示手段）。すなわち、妊娠している時の体重であることを示すために、通常時とは識別可能になるように表示をする。図２４にステップＳ６０３で表示される画面の一例を示す。
【００８７】
ステップＳ６０４では、健診工程端末Ａ１１１は、過去の健診時（本実施例においては前回）に妊娠をしていたか否かを示すフラグ（前回妊娠フラグ（図１９））を取得し、過去の健診時に妊娠していたか否かを判断する（妊娠有無判断手段）。
【００８８】
前回健診時に妊娠していたと判断された場合（ステップＳ６０４：妊娠していた）は、処理をステップＳ６０５に移行する。
【００８９】
前回健診時に妊娠していなかった場合（ステップＳ６０４：妊娠していなかった）は、処理をステップＳ６０６に移行する。
【００９０】
ステップＳ６０５では、健診工程端末Ａ１１１は、前回の計測結果を表示するエリアに色付けをする。すなわち、妊娠している時の体重であることを示すために、通常時とは識別可能になるように表示をする（表示手段）。
【００９１】
ステップＳ６０６では、健診工程端末Ａ１１１は、体重の計測をするか否かの選択をユーザから受け付け、判断する（受付手段）。
【００９２】
体重計測をする場合（ステップＳ６０６：する）は、処理をステップＳ６１７に移行する。
【００９３】
体重計測をしない場合（ステップＳ６０６：しない）は、処理をステップＳ６０７に移行する。
【００９４】
ステップＳ６０７では、健診工程端末Ａ１１１は、当該受診者の性別を判断する（性別判断手段）。受診者が男性である場合（ステップＳ６０７：男）は、処理をステップＳ６１６に移行する。受診者が女性である場合（ステップＳ６０７：女）は、処理をステップＳ６０８に移行する。
【００９５】
ステップＳ６０８では、健診工程端末Ａ１１１は、受診者が妊娠しているか否かを判断する（妊娠有無判断手段）。妊娠していると判断された場合（ステップＳ６０８：妊娠している）は、処理をステップＳ６１５に移行する。妊娠していないと判断された場合（ステップＳ６０８：妊娠していない）は、処理をステップＳ６０９に移行する。
【００９６】
ステップＳ６０９では、健診工程端末Ａ１１１は、受診者が計測を行わない理由（欠測理由）の選択を受け付ける（欠測理由受付手段）。
【００９７】
ここで、「身長・体重」の健診項目については、欠測理由として「本人拒否」と「妊娠」とが選択できる（図１８）。そのため、図２３に一例を示す画面を表示して、ユーザによる欠測理由の選択を受け付ける。
【００９８】
ステップＳ６１０では、健診工程端末Ａ１１１は、ステップＳ６０９で受け付けた欠測理由が妊娠であるか否かを判断する。
【００９９】
妊娠であると判断された場合（ステップＳ６１０：ＹＥＳ）は処理をステップＳ６１３に移行する。
【０１００】
妊娠ではない（すなわち本人拒否である）と判断された場合（ステップＳ６１０：ＮＯ）は、処理をステップＳ６１１に移行する。
【０１０１】
ステップＳ６１１では、健診工程端末Ａ１１１は、受診者の妊娠フラグをＯＦＦのままにし、ステップＳ６１２において欠測理由として「本人拒否」を登録し、当該結果を記録媒体１６０に書き込む。
【０１０２】
ステップＳ６１３では、健診工程端末Ａ１１１は、受診者の妊娠フラグをＯＮに変更し、ステップＳ６１４において欠測理由として「妊娠」を登録し、当該結果（欠測理由および変更された妊娠フラグ）を記録媒体１６０に書き込む（妊娠情報記録手段）。
【０１０３】
ステップＳ６１５では、健診工程端末Ａ１１１は、欠測理由として「妊娠」を登録し、当該結果を記録媒体１６０に書き込む。
【０１０４】
ステップＳ６１６では、健診工程端末Ａ１１１は、欠測理由として「本人拒否」を登録し、当該結果を記録媒体１６０に記録すべく送信する。すなわち、ステップＳ６０７で受診者が男性であると判断された場合は、当該受診者が妊娠をしている可能性はないため欠測理由については本人拒否となる。
【０１０５】
ステップＳ６１７では、健診工程端末Ａ１１１は、測定結果の入力を受け付ける。
【０１０６】
ステップＳ６１８では、健診工程端末Ａ１１１は、ステップＳ６１７で入力を受け付けた測定値を登録し、当該結果を記録媒体１６０に書き込む。
【０１０７】
次に、図７に示すフローチャートを用いて、図１６に示す健診システムメニュー画面で妊娠時においても受診が可能である項目（例えば「８．Ｘ線検査」）のボタンが押下された場合の健診情報処理について説明する。
【０１０８】
なお、図７のステップＳ７００乃至ステップＳ７１５は、各健診工程端末のＣＰＵ２０１がメモリ２０２に記憶されるプログラムを読み出して実行することにより実現される（即ち、健診工程端末のＣＰＵ２０１の制御のもとで実行される）処理に対応する。
【０１０９】
図７において、まず、健診工程端末Ａ１１１のＣＰＵ２０１は、ディスプレイ２０５（タッチパネルを兼ねる）やリーダ／ライタ２０７への操作を判定し、健診工程端末Ａ１１１のリーダ／ライタ２０７にカード（記録媒体１６０）がタッチされると（ステップＳ７００）、健診工程端末Ａ１１１のＣＰＵ２０１は、リーダ／ライタ２０７を介して記録媒体１６０に対して当該記録媒体１６０に記録されている妊娠有無情報（図１９）を取得する。
【０１１０】
また、健診工程端末Ａ１１１は、リーダ／ライタ２０７を介して、当該記録媒体１６０に記録されている受診者情報（図１２）、および過去の健診結果に関する情報を取得する。
【０１１１】
ステップＳ７０１では、健診工程端末Ａ１１１は、健診状況表示処理を実行する。なお、健診状況表示処理の詳細については、図８に示すフローチャートを用いて説明する。
【０１１２】
ステップＳ７０２では、健診工程端末Ａ１１１は、ステップＳ７０１で記録媒体１６０から取得した妊娠有無情報をもとに、受診者が妊娠しているか否かを判断する。
【０１１３】
妊娠していると判断された場合（ステップＳ７０２：妊娠している）は、処理をステップＳ７０３に移行する。
【０１１４】
妊娠していないと判断された場合（ステップＳ７０２：妊娠していない）は、処理をステップＳ７０５に移行する。
【０１１５】
ステップＳ７０３では、健診工程端末Ａ１１１は、妊娠しているため受診が出来ない旨の警告メッセージを表示する（受診不可通知手段）。警告メッセージが表示された画面の一例を図２５に示す。
【０１１６】
ステップＳ７０４では、健診工程端末Ａ１１１は、欠測理由として「妊娠」を登録し、当該結果を記録媒体１６０に書き込む。
【０１１７】
ステップＳ７０５では、健診工程端末Ａ１１１は、計測をするか否かの選択をユーザから受け付け、判断する。
【０１１８】
計測をする場合（ステップＳ７０５：する）は、処理をステップＳ７１４に移行する。
【０１１９】
計測をしない場合（ステップＳ７０５：しない）は、処理をステップＳ７０６に移行する。
【０１２０】
ステップＳ７０６では、健診工程端末Ａ１１１は、当該受診者の性別を判断する。受診者が男性である場合（ステップＳ７０６：男）は、処理をステップＳ７１３に移行する。受診者が女性である場合（ステップＳ７０６：女）は、処理をステップＳ７０７に移行する。
【０１２１】
ステップＳ７０７では、健診工程端末Ａ１１１は、受診者が計測を行わない理由（欠測理由）の選択を受け付ける。
【０１２２】
ここで、「胸部Ｘ線検査」の健診項目については、欠測理由として「本人拒否」と「妊娠」とが選択できる（図１８）。そのため、図２３に一例を示す画面を表示して、ユーザによる欠測理由の選択を受け付ける。
【０１２３】
ステップＳ７０８では、健診工程端末Ａ１１１は、ステップＳ７０７で受け付けた欠測理由が妊娠であるか否かを判断する。
【０１２４】
妊娠であると判断された場合（ステップＳ７０８：妊娠している）は処理をステップＳ７０９に移行する。
【０１２５】
妊娠ではない（すなわち本人拒否である）と判断された場合（ステップＳ７０８：妊娠していない）は、処理をステップＳ７１１に移行する。
【０１２６】
ステップＳ７０９では、健診工程端末Ａ１１１は、妊娠フラグをＯＮ（妊娠している旨）に設定し、健診結果として「妊娠」を理由とする欠測を登録し、当該結果（欠測理由および変更された妊娠フラグ）を記録媒体１６０に書き込む（ステップＳ７１０）。
【０１２７】
ステップＳ７１１では、健診工程端末Ａ１１１は、妊娠フラグをＯＦＦ（妊娠していない旨）のまま、健診結果として「本人拒否」を理由とする欠測を登録し、当該結果を記録媒体１６０に書き込む（ステップＳ７１２）。
【０１２８】
ステップＳ７１３では、健診工程端末Ａ１１１は、健診結果として「本人拒否」を理由とする欠測を登録し、当該結果を記録媒体１６０に書き込む。
【０１２９】
ステップＳ７１４では、健診工程端末Ａ１１１は、測定結果の入力を受け付ける。
【０１３０】
ステップＳ７１５では、健診工程端末Ａ１１１は、ステップＳ７１４で入力を受け付けた測定値を登録し、当該結果を記録媒体１６０に書き込む。
【０１３１】
以上の図６、図７のフローチャートで示す処理により、妊娠していることを理由に欠測となった項目があった場合、それ以降の健診項目については、妊娠していることを前提に受診の可否が判断されることになる。すなわち、受付端末により妊娠の有無について誤った登録をした場合や、登録ミスがあった場合でも、健診途中で当該受診者が妊娠をしているか否かを登録できるようになり、その後の健診を円滑に進めることが可能となる。
【０１３２】
なお、図２０に示すテーブルは、健診結果を示す情報である。前回結果については、受付端末１００から取得されたデータであり、今回の結果については、ステップＳ６１２、Ｓ６１４、Ｓ６１５、Ｓ６１６、Ｓ６１８、Ｓ７０４、Ｓ７１０、Ｓ７１２、Ｓ７１３、Ｓ７１５において登録された結果が設定されている。
【０１３３】
図８は、図６のステップＳ６０１、図７のＳ７０１に示す健診状況表示処理の手順を示すフローチャートである。なお、本処理は、健診工程端末Ａ１１１のＣＰＵ２０１がメモリ２０２に記憶されるプログラムを読み出して実行することにより実現される（即ち、健診工程端末Ａ１１１のＣＰＵ２０１の制御のもとで実行される）処理に対応する。
【０１３４】
図８において、まず、健診工程端末Ａ１１１のＣＰＵ２０１は、画面に受診ＩＤ（９９９９９９９９９９）や受診番号（９９９９９９）及び受診者氏名や性別等の受診者情報を表示する（ステップＳ８０１）。
【０１３５】
そして、ステップ８０２において健診工程端末Ａ１１１は、妊娠フラグ（図１９）を取得し、取得した情報に基づいて受診者が妊娠しているか否かを判断する。
【０１３６】
ステップＳ８０３では、健診工程端末Ａ１１１は、受診予定のある健診項目を識別可能に表示する。
【０１３７】
ステップＳ８０４では、健診工程端末Ａ１１１は、受診予定のない健診項目を識別可能に表示する。
【０１３８】
ここで受診予定の有無の判断については、受診者情報（図１２）および妊娠フラグ（図１９）および妊娠時受診可否情報（図２１）に基づき判断する（受診可否判断手段）。
【０１３９】
具体的には、受診者情報の健診項目に「○」が設定された項目については、健診予定ありと判断され、「×」が設定された項目については、受診予定なしと判断される。ただ、妊娠フラグから妊娠していると判断される場合は、受診予定ありであっても、妊娠時受診可否情報に従い、妊娠時に受診が可能である健診項目（図２１で「○」が設定されている健診項目）であれば受診予定ありとして表示される。他方、妊娠している場合には受診不可である健診項目（図２１で「×」が設定されている健診項目）であれば、受診予定なしとして表示される。
【０１４０】
ステップＳ８０５では、健診工程端末Ａ１１１は、受信した受診結果情報（図２０）に基づいて既に受診済みの健診項目を判別して、当該判別された健診項目に「○」を表示する。
【０１４１】
なお、受診済みか否かの判断は、図２０に示す受診者情報に結果または欠測理由が記録されているか否かによって判断される。
【０１４２】
次いで、健診工程端末Ａ１１１のＣＰＵ２０１は、現在の健診項目に「◎」を表示する（ステップＳ８０６）。
【０１４３】
図８の健診状況表示処理によれば、受診予定がある健診項目、受診予定がない健診項目がそれぞれ識別可能に表示され、既に受診済みの健診項目が「○」で表示され、現在の健診項目が「◎」で表示されるので、受診者が今後受診すべき項目を受診者及び測定者に把握させることができる。
【０１４４】
また、妊娠フラグが健診途中で変更された場合（受付端末による設定では妊娠していないと設定されたが、途中の健診で欠測理由として「妊娠」が登録された場合など）、当初から受診予定だった項目と妊娠していることが判明したことにより予定がなくなった項目とを反映して表示することが可能となる。
【０１４５】
なお、図８の健診状況表示処理では、網掛けや「○」や「◎」で識別可能に表示したが、各健診項目に対する情報を識別できればどのような表示であっても良く、表示色を異ならせることで識別可能に表示してもよい。
【０１４６】
次に、図１における管理端末１５０が実行する回収処理について図９を用いて説明する。
【０１４７】
図９は、図１における管理端末１５０が実行する回収処理の手順を示すフローチャートである。なお、本処理は、管理端末１５０のＣＰＵ２０１がメモリ２０２に記憶されるプログラムを読み出して実行することにより実現される（即ち、管理端末１５０のＣＰＵ２０１の制御のもとで実行される）処理に対応する。
【０１４８】
図９において、まず、管理端末１５０のＣＰＵ２０１は、ディスプレイ２０５（タッチパネルを兼ねる）やリーダ／ライタ２０７への操作を判定し、管理端末１５０のリーダ／ライタ２０７にカード（記録媒体１６０）がタッチされると（ステップＳ９０１）、管理端末１５０のＣＰＵ２０１は、リーダ／ライタ２０７を介して記録媒体１６０に対して当該記録媒体１６０に記録されている受診者情報及び検査データ（測定値）の読取要求を送信する（ステップＳ９０２）。
【０１４９】
当該読取要求を受信した記録媒体１６０のコントローラは、受診者情報、及び検査データ（測定値）を管理端末１５０のリーダ／ライタ２０７に送信する。
【０１５０】
次いで、管理端末１５０のＣＰＵ２０１は、管理端末１５０のリーダ／ライタ２０７を介して一人分の受診者情報及び検査データを受信して（ステップＳ９０３）、管理端末１５０のメモリ２０２のワークエリアに記憶する（ステップＳ９０４）。
【０１５１】
次いで、管理端末１５０のＣＰＵ２０１は、メモリ２０２に記憶される受診者情報と上記一人分の検査データを照合し（ステップＳ９０５）、未受診の健診工程がないか判定し（ステップＳ９０６）、判定結果を管理端末１５０のメモリ２０２のワークエリアに記憶する。
【０１５２】
次いで、管理端末１５０のＣＰＵ２０１は、管理端末１５０のディスプレイ２０５に図１７に示すような検査結果及び判定結果画面を表示する（ステップＳ９０７）。図１７は、管理端末の回収処理プログラム画面の一例である。管理端末１５０のＣＰＵ２０１は、図１７の画面において、受信した受診者情報に基づいて受診者ＩＤや氏名等を表示し、ステップＳ９０６の判定結果に基づいて受診済みか否かを表示する。
【０１５３】
なお、図１７に示す画面では、血液検査が未受診であり、それ以外の健診項目については受診済みであることを示している。
【０１５４】
図９に戻り、管理端末１５０のＣＰＵ２０１は、図１７の画面の各ボタン（表示切替ボタン、印刷ボタン、登録ボタン）のタッチ（押下）を検知し（操作判定し）、表示切替ボタンが押下（タッチ）されたか否かを判別する（ステップＳ９０８）。表示切替ボタンが押下されたときは（ステップＳ９０８：ＹＥＳ）、管理端末１５０のＣＰＵ２０１は、図１７の初期画面がディスプレイ２０５に表示されていた場合は、健診データ明細表示画面（不図示）に表示を切り替える。健診データ明細表示画面が表示されていた場合は、図１７の初期画面に表示を切り替える（ステップＳ９０９）。そして、処理をステップＳ９０８に戻す。
【０１５５】
ステップＳ９０８の判別の結果、表示切替ボタンが押下されないときは（ステップＳ９０８でＮＯ）、印刷ボタンが押下（タッチ）されたか否かを判別する（ステップＳ９１０）。印刷ボタンが押下されたときは、（ステップＳ９１０でＹＥＳ）、管理端末１５０のＣＰＵ２０１は、メモリ２０２に記憶した受診者情報及び検査データに基づいて、受診者個人用の結果リストを印刷し（ステップＳ９１１）、処理をステップＳ９０８に戻す。
【０１５６】
ステップＳ９１０の判別の結果、印刷ボタンが押下されないときは（ステップＳ９１０でＮＯ）、登録ボタンが押下（タッチ）されたか否かを判別し（ステップＳ９１２）、登録ボタンが押下されないときは（ステップＳ９１２でＮＯ）、処理をステップＳ９０８に戻す。
【０１５７】
ステップＳ９１２の判別の結果、登録ボタンが押下されたときは（ステップＳ９１２でＹＥＳ）、管理端末１５０のＣＰＵ２０１は、ステップＳ９０６における各検査データの検査漏れの判定結果に基づいて、未受診の項目があるか否かを判別し（ステップＳ９１３）、未受診の項目がある場合は（ステップＳ９１３でＹＥＳ）、管理端末１５０のＣＰＵ２０１は、管理端末１５０の不図示のスピーカーから警告音を出力し、管理端末１５０のディスプレイ２０５に未受診である健診工程の名称と受診者ＩＤ及び氏名、再度該当する健診工程に行くように促すメッセージ（不図示）を表示し（ステップＳ９１４）、処理をステップＳ９１５に進める。
【０１５８】
ステップＳ９１３の判別の結果、未健診項目がないときは（ステップＳ９１３でＮＯ）、管理端末１５０のＣＰＵ２０１は、健診結果ファイルに１人分の検査データ及び通過記録データを記憶する（ステップＳ９１５）。
【０１５９】
次いで、管理端末１５０のＣＰＵ２０１は処理をステップＳ９１６に移行する。なお、ステップＳ９１６の料金計算処理の詳細については、図１０のフローチャートを用いて説明する。
【０１６０】
図１０は、図９におけるステップＳ９１６の料金計算処理の詳細を示すフローチャートである。なお、本フローチャートの処理は、管理端末１５０のＣＰＵ２０１がメモリ２０２に記憶されるプログラムを読み出して実行することにより実現される（即ち、管理端末のＣＰＵ２０１の制御のもとで実行される）処理に対応する。
【０１６１】
ステップＳ１００１は、検査データから受診済みの健診項目を検索する。
【０１６２】
次いで、ステップＳ１００２では、ステップＳ１００１で取得した受診済みの健診項目に対応する料金を、図１３に示す料金表に基づき取得する。
【０１６３】
次いで、ステップＳ１００３では、ステップＳ１００２で取得した料金の合計を基本料金に加算することで、健診料金を算出する。
【０１６４】
また、計算された健診料金及びその内訳を管理端末１５０のディスプレイ２０５に表示させても良い。
【０１６５】
図１０の料金計算処理によれば、受診者の属性や受診した健診項目に応じて受診者毎にそれぞれ健診料金の計算を行うことが可能となる。
【０１６６】
上述した本実施の形態では、ディスプレイ２０５をタッチパネル付きのディスプレイとして説明したが、ディスプレイ２０５を通常のディスプレイとし、マウス等のポインティングデバイスを設けて入力を行うように構成してもよい。
【０１６７】
また、上述した各種データの構成及びその内容はこれに限定されるものではなく、用途や目的に応じて、様々な構成や内容で構成されてもよい。
【０１６８】
また、本発明は、例えば、システム、装置、方法、プログラム若しくは記録媒体等としての実施の態様をとることが可能であり、具体的には、複数の機器から構成されるシステムに適用してもよく、一つの機器からなる装置に適用してもよい。
【０１６９】
上述したように、図１に示した健診工程端末は、メモリ２０２に、図１４、図１５に示した関連付情報ファイル、図１８に示す欠測理由、図２１に示す妊娠時受診可否情報、各健診機器とのインタフェース設定、各処理プログラム、及び各健診機器の設定情報を少なくとも記憶する。そして、健診工程端末のＣＰＵ２０１は、図１６に示した各健診メニューのいずれかの選択に応じて、上記健診機器の設定情報と上記処理プログラムとをメモリ２０２から読み出して実行する。
【０１７０】
また、管理端末１５０は、メモリ２０２に受診者情報（各健診工程の各健診データ及び通過記録データのフォーマットを含む）を記憶する。また、管理端末１５０のＣＰＵ２０１は、記録媒体１６０から受診者ＩＤと、上記健診データを読み出し、上記フォーマットと上記健診データとに基づいて検査洩れの有無を判定し、検査漏れがあると判定した場合に、検査漏れと判定した健診工程の健診データ復旧の要否を上記フォーマットに基づいて判定する。
【０１７１】
また、健診工程端末のＣＰＵ２０１は、メモリ２０２に各健診工程別の各健診機器別の設定情報を記憶し、上記処理プログラム（図６、図７）は、上記各メニューを選択した場合に当該選択した健診工程における複数の健診機器から１つを選択させて、当該選択された健診機器に関連付けられた設定情報を読み出して処理を実行する。
【０１７２】
以上の構成により、複数の処理プログラムを健診工程端末のメモリ２０２に記憶してメニューの選択に応じて所定の健診機器の設定を読み込んで対応する処理プログラムを健診工程端末のＣＰＵ２０１で実行するので、現有する様々な種類の健診機器及び様々な外部インタフェースに柔軟に対応可能で健診時の準備工数を大幅に削減可能な仕組みを提供することができる。
【０１７３】
また、検査終了時点での検査洩れの有無を判断し画面に警告を表示するので検査漏れが生じない仕組みを提供する。
【０１７４】
また、検査中においてどこの検査を受けなければならないかを把握することができる仕組みを提供する。
【０１７５】
なお、特に図示しないが、本発明に係る装置で読み取り可能な各種プログラムやデータを格納する記録媒体（記憶媒体）には、該記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１７６】
さらに、各種プログラムに従属するデータも上記ディレクトリに管理されている。また、インストールするプログラムやデータが圧縮されている場合に、解凍するプログラム等も記憶される場合もある。
【０１７７】
本実施の形態における各フローチャート、及び画面に示す機能が外部からインストールされるプログラムによって、ホストコンピュータにより遂行されていてもよい。そして、その場合、不図示のＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１７８】
以上のように、前述した実施の形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１７９】
この場合、記録媒体から読み出されたプログラムコード自体が本発明の新規な機能を実現することになり、そのプログラムコードを記憶した記録媒体は本発明を構成することになる。
【０１８０】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１８１】
また、コンピュータが読み出したプログラムコードを実行することにより、前述した実施の形態の機能が実現されるだけでなく、そのプログラムコードの指示に基づき、コンピュータ上で稼働しているＯＳ（オペレーティングシステム）等が実際の処理の一部または全部を行い、その処理によって前述した実施の形態の機能が実現される場合も含まれることは言うまでもない。
【０１８２】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【０１８３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１８４】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【符号の説明】
【０１８５】
１００  受付端末
１１０  健診機器Ａ
１１１  健診工程端末Ａ
１５０  管理端末
１６０  記録媒体
２０１  ＣＰＵ
２０２  メモリ
２０５  ディスプレイ
２０７  リーダ／ライタ
【図１】
2013050901.tif 000003
【図２】
2013050901.tif 000004
【図３】
2013050901.tif 000005
【図４】
2013050901.tif 000006
【図５】
2013050901.tif 000007
【図６】
2013050901.tif 000008
【図７】
2013050901.tif 000009
【図８】
2013050901.tif 000010
【図９】
2013050901.tif 000011
【図１０】
2013050901.tif 000012
【図１１】
2013050901.tif 000013
【図１２】
2013050901.tif 000014
【図１３】
2013050901.tif 000015
【図１４】
2013050901.tif 000016
【図１５】
2013050901.tif 000017
【図１６】
2013050901.tif 000018
【図１７】
2013050901.tif 000019
【図１８】
2013050901.tif 000020
【図１９】
2013050901.tif 000021
【図２０】
2013050901.tif 000022
【図２１】
2013050901.tif 000023
【図２２】
2013050901.tif 000024
【図２３】
2013050901.tif 000025
【図２４】
2013050901.tif 000026
【図２５】
2013050901.tif 000027
【図２６】
2013050901.tif 000028